(57)【要約】  【課題】  外装シートが剥がされたか否かの判定が可能であると共に、剥離判定層を外装シートと一緒に電池パックから剥がすことができる電池パック及び外装シートを提供する。  【解決手段】  貼着後に剥がされたか否かを示す剥離判定テープ１６を有する外装シート１４が貼着された電池パック１０において、剥離判定テープ１６は外装シート１４の一部の表面に配置してあり、剥離判定テープ１６上に外装シート１４の他部の裏面を配置してある。剥離判定テープ１６は、外装シート１４の前記他部と貼着された基材層及び外装シート１４の前記一部と貼着された貼着層を含み、外装シートが剥がされた場合、基材層又は貼着層の一部又は全部が外装シート１４の表面に残るようにしてある。【選択図】      図１
2007012318.tif 000002
【特許請求の範囲】
【請求項１】
貼着後に剥がされたか否かを示す剥離判定層を有する外装シートが貼着された電池パックにおいて、
前記剥離判定層は外装シートの一部の表面に配置してあり、前記剥離判定層上に外装シートの他部の裏面を配置してあることを特徴とする電池パック。
【請求項２】
前記剥離判定層は、外装シートの前記他部と貼着された基材層及び外装シートの前記一部と貼着された貼着層を含み、外装シートが剥がされた場合、貼着層の一部又は全部が外装シートの表面に残るように構成してあることを特徴とする請求項１記載の電池パック。
【請求項３】
前記剥離判定層は、外装シートの前記他部と貼着された基材層及び外装シートの前記一部と貼着された貼着層を含み、外装シートが剥がされた場合、基材層の一部又は全部が外装シートの表面に残るように構成してあることを特徴とする請求項１記載の電池パック。
【請求項４】
前記剥離判定層は、外装シートの前記他部と貼着された基材層及び外装シートの前記一部と貼着された貼着層を含み、外装シートが剥がされた場合、基材層が分離して外装シートの表面に残るように構成してあることを特徴とする請求項１記載の電池パック。
【請求項５】
貼着後に剥がされたか否かを示す剥離判定層を有し、被貼着物に貼着される外装シートにおいて、
前記剥離判定層は一部の表面に配置されていることを特徴とする外装シート。
【発明の詳細な説明】
【技術分野】
【０００１】
本発明は、貼着後に剥がされたか否かを示す剥離判定層を有し、被貼着物に貼着される外装シート、及び、該外装シートが貼着された電池パックに関する。
【背景技術】
【０００２】
電池をケースに収容するなどした電池パックには、ラベルなどの外装シートが貼着されている。ただし、ユーザの中には、外装シートを剥がして電池パックを分解するなどの行為を行ってから外装シートを元に戻し、不良品であるなどと主張する者もいる。そのため、貼着後の外装シートを剥がしたか否かを示す剥離判定層を電池パックと外装シートとの間に設けることが行われている（例えば特許文献１参照）。剥離判定層としては、外装シートに貼着される基材層及び電池パックに貼着される貼着層を有し、外装シートを剥がした場合に基材層又は貼着層の一部又は全部が電池パックに残る剥離判定テープを用いることが可能である。
【０００３】
また、他の方法として、外装シートにスリット（切り込み）を設けておく方法もある。図４（ａ）はスリットが設けられている外装シート及び電池パックの例を示す分解斜視図であり、図４（ｂ）はスリットが設けられている外装シートが貼着された電池パックの例を示す斜視図である。図の例では、直方体状の電池パック１０に、長方形状の外装シート４が巻着されている。ただし、外装シート４の両短辺にはスリット２が設けられており、外装シート４を剥がす際はスリット２部分から破れ易くなっている。スリット２部分から破れることにより、外装シートが剥がされたか否かが判定可能になる。
【特許文献１】特開２００３−６８２６７号公報
【発明の開示】
【発明が解決しようとする課題】
【０００４】
しかし、剥離判定テープを用いた場合、製造工程で貼着不良の外装シートを剥がして貼り直したり、あるいは、ユーザから電池メーカーへ持ち込まれた電池パックを解体、修理して再組立する際、外装シートを剥がした電池パックのケース表面には、剥離判定テープの基材層又は貼着層が残るため、外装テープとは別に、この残った基材層又は貼着層を取除く手間が生じ、外装シートの貼り直しに手間がかかるという問題がある。また、取除くことができずに、ケース表面に残ってしまった場合、そのケースを再使用することができずに新しい別のケースを使用しなければならない問題がある。なお、外装シートにスリットを設ける場合は、このような問題は生じないが、スリット部分から破れないように外装シートを剥がすことも可能であるため、剥離判定機能が不完全であるという問題がある。
【０００５】
本発明は斯かる事情に鑑みてなされたものであり、貼着後に剥がされたか否かを示す剥離判定層を外装シートの一部の表面に配置してあり、前記剥離判定層上に外装シートの他部の裏面を配置したことにより、外装シートが剥がされたか否かの判定が可能であると共に、剥離判定層を外装シートと一緒に剥がすことができる電池パックを提供することを目的とする。
【０００６】
また、本発明は、前記剥離判定層は外装シートの前記他部と貼着された基材層及び外装シートの前記一部と貼着された貼着層を含み、外装シートが剥がされた場合は貼着層の一部又は全部が外装シートの表面に残るように構成してあることにより、外装シートが剥がされたか否かを判定することができる電池パックを提供することを他の目的とする。
【０００７】
また、本発明は、前記剥離判定層は外装シートの前記他部と貼着された基材層及び外装シートの前記一部と貼着された貼着層を含み、外装シートが剥がされた場合は基材層の一部又は全部が外装シートの表面に残るように構成してあることにより、外装シートが剥がされたか否かを判定することができる電池パックを提供することを他の目的とする。
【０００８】
また、本発明は、前記剥離判定層は外装シートの前記他部と貼着された基材層及び外装シートの前記一部と貼着された貼着層を含み、外装シートが剥がされた場合は基材層が分離して外装シートの表面に残るように構成してあることにより、外装シートが剥がされたか否かを判定することができる電池パックを提供することを他の目的とする。
【０００９】
また、本発明は、貼着後に剥がされたか否かを示す剥離判定層が一部の表面に配置されていることにより、被貼着物に巻着する際に他部の裏面を前記剥離判定層上に配置して、巻着後に剥がされたか否かの判定が可能であると共に、剥離判定層と一緒に被貼着物から剥がすことができる外装シートを提供することを他の目的とする。
【課題を解決するための手段】
【００１０】
第１発明に係る電池パックは、貼着後に剥がされたか否かを示す剥離判定層を有する外装シートが貼着された電池パックにおいて、前記剥離判定層は外装シートの一部の表面に配置してあり、前記剥離判定層上に外装シートの他部の裏面を配置してあることを特徴とする。
【００１１】
第２発明に係る電池パックは、第１発明において、前記剥離判定層は、外装シートの前記他部と貼着された基材層及び外装シートの前記一部と貼着された貼着層を含み、外装シートが剥がされた場合、貼着層の一部又は全部が外装シートの表面に残るように構成してあることを特徴とする。
【００１２】
第３発明に係る電池パックは、第１発明において、前記剥離判定層は、外装シートの前記他部と貼着された基材層及び外装シートの前記一部と貼着された貼着層を含み、外装シートが剥がされた場合、基材層の一部又は全部が外装シートの表面に残るように構成してあることを特徴とする。
【００１３】
第４発明に係る電池パックは、第１発明において、前記剥離判定層は、外装シートの前記他部と貼着された基材層及び外装シートの前記一部と貼着された貼着層を含み、外装シートが剥がされた場合、基材層が分離して外装シートの表面に残るように構成してあることを特徴とする。
【００１４】
第５発明に係る外装シートは、貼着後に剥がされたか否かを示す剥離判定層を有し、被貼着物に貼着される外装シートにおいて、前記剥離判定層は一部の表面に配置されていることを特徴とする。
【００１５】
第１発明においては、貼着後に剥がされたか否かを示す剥離判定層を外装シートの一部の表面に配置してあり、前記剥離判定層上に外装シートの他部の裏面を配置してあるため、外装シートを剥がした痕跡は外装シートの表面に残り、外装シートが剥がされたか否かの判定が可能であると共に、外装シートの貼着不良時などに外装シートを電池パックから剥がす際は、外装シートを剥がした痕跡（剥離判定層）を外装シートと一緒に剥がすことができる。
【００１６】
第２発明においては、前記剥離判定層は外装シートの前記他部と貼着された基材層及び外装シートの前記一部と貼着された貼着層を含み、外装シートが剥がされた場合は貼着層の一部又は全部が外装シートの表面に残るように構成してあるため、外装シートの表面に残った貼着層の一部又は全部に基づいて、外装シートが剥がされたか否かを判定することができる。
【００１７】
第３発明においては、前記剥離判定層は外装シートの前記他部と貼着された基材層及び外装シートの前記一部と貼着された貼着層を含み、外装シートが剥がされた場合は基材層の一部又は全部が外装シートの表面に残るように構成してあるため、外装シート上に残った基材層の一部又は全部に基づいて、外装シートが剥がされたか否かを判定することができる。
【００１８】
第４発明においては、前記剥離判定層は外装シートの前記他部と貼着された基材層及び外装シートの前記一部と貼着された貼着層を含み、外装シートが剥がされた場合は基材層が分離して外装シートの表面に残るように構成してあるため、外装シートの表面に残った分離した基材層に基づいて、外装シートが剥がされたか否かを判定することができる。
【００１９】
第５発明においては、貼着後に剥がされたか否かを示す剥離判定層が一部の表面に配置されているため、他部の裏面を前記剥離判定層上に配置することにより、剥がした痕跡が表面に残ることになり、剥がされたか否かの判定が可能になると共に、貼着不良時などに被貼着物から剥がす際に、剥がした痕跡（剥離判定層）も一緒に剥がすことが可能になる。
【発明の効果】
【００２０】
第１、第５発明によれば、外装シートが剥がされたか否かの判定が可能であると共に、剥離判定層を外装シートと一緒に電池パック（被貼着物）から剥がすことができる。その結果、電池パックのケース表面に外装シートを貼着ける製造工程において貼着不良の外装シートを剥がして貼り直す際、あるいは、ユーザから電池メーカーへ持ち込まれた電池パックを解体、修理して再組立する際、電池パックのケース表面には剥離判定層が残らないので、ケース表面から剥離判定層を取除く手間が生じず、外装シートの貼り直しに手間がかからない。また、このように貼り直しが行えるので、ケースを再使用することができ、新しい別のケースを使用しなくて良いので、生産性、経済性に優れている。
【００２１】
第２、第３、第４発明によれば、外装シートの表面に残った貼着層又は基材層の一部又は全部に基づいて、外装シートが剥がされたか否かを判定することができる。
【発明を実施するための最良の形態】
【００２２】
以下、本発明をその実施の形態を示す図面に基づいて具体的に説明する。
図１（ａ）は本発明に係る外装シート及び電池パックの例を示す分解斜視図であり、図１（ｂ）は本発明に係る外装シートが貼着された電池パックの例を示す斜視図である。電池パック１０は直方体形状であり、外装シート１４は長方形状であり、外装シート１４の両短辺周辺（重ね合せ部１２，１２）は電池パック１０に貼着される際に重ね合される。ただし、外装シートの重ね合せ部１２，１２の間には、剥離判定テープ（剥離判定層）１６が設けられている。
【００２３】
図２（ａ）は図１（ｂ）のＡ−Ａ線切断断面図である。外装シート１４は、下層側から粘着剤層１４ｃと、基材層１４ａと、ラミネート層１４ｂとを有する。ただし、外装シート１４の重ね合せ部１２の上側の方には、下層側から貼着層１６ａ及び基材層１６ｂを含む剥離判定テープ１６と、ラミネート層１４ｂとを有する。外装シート１４の大部分は粘着層１４ｃが電池パック１０に貼着されているが、重ね合せ部１２においては、外装シート１４の表面に剥離判定テープ１６が貼着され、剥離判定テープ１６上にラミネート層が貼着されている。
【００２４】
剥離判定テープ１６の基材層１６ｂとしては例えばＰＥＴ（polyethylene terephthalate）又はＰＰ（polypropylene）が用いられ、貼着層としては例えばアクリル系接着剤が用いられる。剥離判定テープ１６は、貼着後の剥離判定テープ１６を剥がした場合、基材層１６ｂ又は粘着層１６ａの一部又は全部が分離して貼着部（外装シート１４表面）に残るが、分離後の再粘着性は低く、分離前の状態に戻すことが困難なテープである。
【００２５】
図２（ｂ）は外装シート１４を剥がした場合の斜視図、図２（ｃ）は断面図である。外装シート１４を剥がした場合、剥離判定テープ１６の基材層１６ｂは外装シート１４（ラミネート層１４ｂ）と共に剥がれるが、貼着層１６ａは一部しか剥がれず、他の部分は下層の外装シート１４表面に残る。図の例では、貼着層１６ａの剥がれた部分と剥がれずに残った部分とがストライプ模様になっている。この場合、貼着層１６ａが分離してストライプ模様が表れているため、外装シート１４が剥がされたと判定できる。なお、ストライプ模様以外に、例えば「開封済」又は「ＶＯＩＤ」などの文字が表れるようにすることも可能である。また、貼着層１６ａ全部が残るようにすることも可能である。
【００２６】
また、電池パックの製造時においては、外装シート１４の貼着不良などによって外装シートを貼り直す場合、図２（ｃ）の状態から外装シート１４全体を剥がすが、外装シート１４全体を剥がした場合、外装シート上に残っている剥離判定テープ１６の貼着層１６ａも一緒に剥がれる。よって、外装シートの貼り直しを効率よく行うことができる。
【００２７】
上述した実施の形態においては、外装シートが剥がされた場合に、剥離判定テープの貼着層の一部又は全部が外装シート表面に残るが、剥離判定テープの基材層の一部又は全部が残るようにすることも可能である。また、図３（ａ）に示す断面図のように、剥離判定テープ１６の基材層１８として２層に分離可能な上質紙などを用いることも可能である。図３（ｂ）は外装シート１４を剥がした場合の斜視図、図３（ｃ）は断面図である。外装シート１４を剥がした場合、剥離判定テープ１６の基材層１８は２層１８ａ，１８ｂに分離して、一方の層１８ｂは外装シート１４（ラミネート層１４ｂ）と共に剥がれるが、他方の層１８ａは貼着層１８ｃと共に下側の外装シート１４表面に残る。この場合、基材層１８の上質紙が２層に分離しているため、外装シート１４が剥がされたと判定できる。
【図面の簡単な説明】
【００２８】
【図１】（ａ）は本発明に係る外装シート及び電池パックの例を示す分解斜視図であり、（ｂ）は本発明に係る外装シートが貼着された電池パックの例を示す斜視図である。
【図２】（ａ）は図１（ｂ）のＡ−Ａ線切断断面図であり、（ｂ）は外装シートを剥がした場合の斜視図であり、図２（ｃ）は断面図である。
【図３】（ａ）は断面図であり、（ｂ）は外装シートを剥がした場合の斜視図であり、（ｃ）は断面図である。
【図４】（ａ）はスリットが設けられている従来の外装シート及び電池パックの例を示す斜視図であり、（ｂ）はスリットが設けられている従来の外装シートが貼着された電池パックの例を示す斜視図である。
【符号の説明】
【００２９】
１０  電池パック
１２  重ね合せ部
１４  外装シート
１６  剥離判定シート
１６ａ、１８ｃ  貼着層
１６ｂ、１８  基材層
【図１】
2007012318.tif 000003
【図２】
2007012318.tif 000004
【図３】
2007012318.tif 000005
【図４】
2007012318.tif 000006